(57)【要約】【課題】光源の光が照度センサーに入射することによる誤作動を抑制することができる照明器具を提供する。【解決手段】照明領域の照度に応じて光源３００の光量を制御する照明器具１であって、照度を検出する照度センサー４００を有する本体部１００と、本体部に対向するように設置されるパネル２００とを備える。本体部は、パネルに向けて突出するとともに、照度センサーを取り囲む第１遮光壁１２１を有する。パネルは、本体部に向けて突出するとともに、第１遮光壁の側面に対向する第２遮光壁２１１を有する。【選択図】図２
2015210934.tif 000002
【特許請求の範囲】
【請求項１】
照明領域の照度に応じて光源の光量を制御する照明器具であって、
前記照度を検出する照度センサーを有する本体部と、
前記本体部に対向するように設置されるパネルと
を備え、
前記本体部は、前記パネルに向けて突出するとともに、前記照度センサーを取り囲む第１遮光壁を有し、
前記パネルは、前記本体部に向けて突出するとともに、前記第１遮光壁の側面に対向する第２遮光壁を有する、照明器具。
【請求項２】
前記第１遮光壁及び前記第２遮光壁の各々は、筒状又は筒状体の一部を軸方向に切り欠いた形状である、請求項１に記載の照明器具。
【請求項３】
前記第２遮光壁は、前記第１遮光壁の外側又は内側に配置されている、請求項１又は請求項２に記載の照明器具。
【請求項４】
前記第２遮光壁は、筒状体の一部を軸方向に切り欠いた形状であり、
前記本体部は、前記第２遮光壁の切り欠かれた部分に対向する第３遮光壁をさらに有する、請求項１から請求項３のうちの１項に記載の照明器具。
【請求項５】
前記第３遮光壁は、前記光源と前記照度センサーとの間に配置されている、請求項４に記載の照明器具。
【請求項６】
前記照度センサーの感度を調節する感度調節スイッチと、
前記感度調節スイッチを操作方向にガイドするガイド部材とをさらに備え、
前記ガイド部材が前記第３遮光壁として機能する、請求項４又は請求項５に記載の照明器具。
【請求項７】
前記本体部は、取付面に埋め込まれ、前記パネルは、前記取付面上に設置される、請求項１から請求項６のうちの１項に記載の照明器具。
【発明の詳細な説明】
【技術分野】
【０００１】
本発明は、照明器具に関する。
【背景技術】
【０００２】
例えば、廊下や階段を照らすフットライトにおいて、照明領域の照度に応じて光源の光量を制御する技術が採用されている。特許文献１には、当該技術が採用された照明器具の一例が開示されている。
【０００３】
特許文献１に開示の照明器具は、本体部とパネルとを備える。本体部は、廊下の壁面等の取付面に取り付けられる。パネルは、本体部に対向するように設置される。本体部内には、ＬＥＤ等の光源と、照度センサーと、制御装置とが内蔵されている。パネルには、光源の光を透過させる透光部材、照度センサーに対向する開口部等が設けられている。
【０００４】
照度センサーは、照明領域（光源が照明する領域）の照度を検出する。制御装置は、照度センサーが検出した照度に応じて光源を点灯及び消灯する。光源からの光が照度センサーに入射すると、制御装置は、照明領域の照度が閾値よりも大きくなったと誤認識して光源を消灯する。そのような不具合を抑制するために、照度センサーは、本体部に設けられた遮光壁によって、光源の光から遮光されている。
【先行技術文献】
【特許文献】
【０００５】
【特許文献１】特開２００２−２４５８４１号公報
【発明の概要】
【発明が解決しようとする課題】
【０００６】
しかしながら、特許文献１に開示の照明器具では、短期間に光源が点滅を繰り返す現象（チャタリング）が生じる虞がある。
【０００７】
すなわち、パネルは、本体部に対向するように設置されるが、取付面の凹凸等によって、パネルと本体部との間の距離（取付面に直交する方向の距離。以下、単に「距離」という。）が設計値よりも大きくなることがある。
【０００８】
照度センサーは、本体部に設けられた遮光壁により光源の光から遮光されているが、パネルと本体部との間の距離が大きくなると、遮光壁の先端とパネルの内面との間の隙間が大きくなるため、当該隙間から光源の光が照度センサーに入射しやすくなる。
【０００９】
光源の光が照度センサーに入射すると、制御装置は、照明領域の照度が閾値よりも大きくなったと誤認識して光源を消灯する。光源が消灯すると、照明領域の照度が閾値よりも小さくなるため、制御装置が再び光源を点灯させる。その結果、チャタリングが発生する。
【００１０】
本発明は上記課題に鑑みて創案されたものであり、その目的は、光源の光が照度センサーに入射することによる誤作動を抑制することができる照明器具を提供することにある。
【課題を解決するための手段】
【００１１】
本願に開示する照明器具は、照明領域の照度に応じて光源の光量を制御する照明器具であって、前記照度を検出する照度センサーを有する本体部と、前記本体部に対向するように設置されるパネルとを備える。前記本体部は、前記パネルに向けて突出するとともに、前記照度センサーを取り囲む第１遮光壁を有する。前記パネルは、前記本体部に向けて突出するとともに、前記第１遮光壁の側面に対向する第２遮光壁を有する。
【００１２】
本願に開示する照明器具では、前記第１遮光壁及び前記第２遮光壁の各々は、例えば、筒状又は筒状体の一部を軸方向に切り欠いた形状である。
【００１３】
本願に開示する照明器具では、前記第２遮光壁は、前記第１遮光壁の外側又は内側のいずれに配置してもよい。
【００１４】
本願に開示する照明器具において、前記第２遮光壁は、筒状体の一部を軸方向に切り欠いた形状であり、前記本体部は、前記第２遮光壁の切り欠かれた部分に対向する第３遮光壁をさらに有することが好ましい。
【００１５】
本願に開示する照明器具において、前記第３遮光壁は、前記光源と前記照度センサーとの間に配置されていることが好ましい。
【００１６】
本願に開示する照明器具は、前記照度センサーの感度を調節する感度調節スイッチと、前記感度調節スイッチを操作方向にガイドするガイド部材とをさらに備え、前記ガイド部材が前記第３遮光壁として機能することが好ましい。
【００１７】
本願に開示する照明器具は、一例として、前記本体部が取付面に埋め込まれ、前記パネルが前記取付面上に設置される照明器具に適用することができる。
【発明の効果】
【００１８】
本発明によれば、照明器具において、光源の光が照度センサーに入射することによる誤作動を抑制することができる。
【図面の簡単な説明】
【００１９】
【図１】本発明の第１実施形態に係る照明器具の正面図である。
【図２】図１のII-II線断面図である。
【図３】本発明の第２実施形態に係る照明器具の正面図である。
【図４】図３のIV-IV線断面図である。
【発明を実施するための形態】
【００２０】
（実施の形態１）
以下、図面を参照して本発明の実施形態を説明する。図１は本発明の第１実施形態に係る照明器具１の正面図であり、図２は図１のII-II線断面図である。なお、本明細書では、図中のＺ軸方向を上下方向とし、Ｚ軸方向における下方向が鉛直方向となる。また、図中のＹ軸方向を前後方向とし、Ｙ軸方向において取付面Ｆから離れる方向を前方とする。
【００２１】
照明器具１は、一例として、廊下や階段を照らすフットライトとして用いられ、本体部１００と、パネル２００と、光源としてのＬＥＤ３００とを備える。
【００２２】
本体部１００は、廊下の壁面等の取付面Ｆに形成された埋込穴Ｈに埋め込まれて固定される。本体部１００は、照明領域（ＬＥＤ３００の照明領域）の照度を検出する照度センサー４００と、パネル２００に向けて突出する第１遮光壁１２１を有する。第１遮光壁１２１は、照度センサー４００をＬＥＤ３００の光から遮光する。本実施形態では、第１遮光壁１２１は筒状の部材で、照度センサー４００を取り囲んでいる。なお、第１遮光壁１２１は、筒状体の一部を軸方向に切り欠いた形状であってもよい。また、本実施形態では、本体部１００は、例えば合成樹脂によって形成されたフレーム１２０を有し、フレーム１２０に第１遮光壁１２１が固定されている。なお、第１遮光壁１２１はフレーム１２０に一体的に形成することもできる。
【００２３】
パネル２００は、本体部１００に対向するように設置される。本実施形態では、パネル２００は取付面Ｆ上に設置される。パネル２００は、例えば合成樹脂によって形成される。パネル２００は、本体部１００に向けて突出する第２遮光壁２１１を有する。第２遮光壁２１１の内側の側面は第１遮光壁１２１の外側の側面に対向する。本実施形態では、パネル２００はパネル本体２１０を有し、第２遮光壁２１１はパネル本体２１０に一体的に形成されている。なお、第２遮光壁２１１をパネル本体２１０とは別体の部材で形成してパネル本体２１０に固定することもできる。
【００２４】
第２遮光壁２１１は、本実施形態では、筒状体の一部を軸方向に切り欠いた形状であり、正面視Ｕの字形を呈している。第２遮光壁２１１は、第１遮光壁１２１の外側を取り囲んでいる。第２遮光壁２１１を正面視Ｕの字形に形成することで、パネル２００が本体部１００に対してＺ軸方向における下方に位置ずれした場合に、第２遮光壁２１１が第１遮光壁１２１と接触することを抑制することができる。なお、第２遮光壁２１１は、筒状でもよい。また、第２遮光壁２１１は、第１遮光壁１２１の内側に配置されてもよい。
【００２５】
照度センサー４００は、例えば、硫化カドミウムを用いた光センサーで構成することができる。
【００２６】
取付面Ｆの凹凸等によって、パネル２００と本体部１００との間の距離が設計値よりも大きくなる場合がある。その場合、第１遮光壁１２１の先端とパネル本体２１０の内面との間の隙間Ｃが設計値よりも大きくなる。パネル２００が第２遮光壁２１１を有していないと、隙間Ｃ内で反射して伝達されるＬＥＤ３００の光が照度センサー４００に入射する虞がある。
【００２７】
照明器具１では、隙間Ｃの大きさが設計値よりも大きくなっても、ＬＥＤ３００から隙間Ｃに向かう光が第２遮光壁２１１によって遮られるため、照度センサー４００へのＬＥＤ３００の光の入射が抑制される。したがって、チャタリング等の誤作動を抑制することができる。
【００２８】
本実施形態の照明器具１は、第３遮光壁として機能するガイド部材１２２をさらに備える。ガイド部材１２２は、本体部１００に設けられ、第２遮光壁２１１の切り欠かれた部分に対向している。本実施形態では、ガイド部材１２２はフレーム１２０に一体的に形成されている。ガイド部材１２２をフレーム１２０とは別体の部材で形成してフレーム１２０に固定することもできる。
【００２９】
ガイド部材１２２はパネル２００を貫通しており、第２遮光壁２１１の切り欠かれた部分からＬＥＤ３００の光が照度センサー４００へ入射することを抑制する。ガイド部材１２２は、ＬＥＤ３００と照度センサー４００との間に配置されている。すなわち、ＬＥＤ３００からの光が照度センサー４００に最も入射しやすい位置にガイド部材１２２が配置されている。
【００３０】
照明器具１は、感度調節スイッチ１３０をさらに備える。感度調節スイッチ１３０は、ユーザーが照度センサー４００の感度を調節するためのものである。感度調節スイッチ１３０は、Ｘ軸に沿う方向に操作（スライド）可能である。
【００３１】
本実施形態では、ユーザーが感度調節スイッチ１３０を操作することによって、照度センサー４００の感度が第１の状態と第２の状態と第３の状態とのいずれかに切り替わる。第１の状態では、照度センサー４００は、照明領域の照度が第１の閾値以下になったことを検出する。第２の状態では、照度センサー４００は、照明領域の照度が第２の閾値（第１の閾値よりも小）以下になったことを検出する。第３の状態では、照度センサー４００は、照明領域の照度を検出しない。
【００３２】
ガイド部材１２２は、感度調節スイッチ１３０を操作方向（Ｘ軸に沿う方向）にガイドする。なお、本実施形態では、ガイド部材１２２が本発明の第３遮光壁として機能するため、第３遮光壁を設けても部品点数が増加せず、製造コスト及び組立工数が増加しない。ガイド部材１２２は、本発明の第３遮光壁の一例である。
【００３３】
次に、照明器具１の構成をさらに詳細に説明する。本体部１００は、フレーム１２０と第１遮光壁１２１の他に、さらに、スイッチボックス１１０と、ＬＥＤ基板１４０と、センサー基板１５０と、制御基板１６０と、ジョイント１７０と、端子台とを有する。
【００３４】
スイッチボックス１１０は、例えば合成樹脂により形成された有底箱型のもので、底面１１０ａを有する。スイッチボックス１１０の底面１１０ａに対向する面は開口している。Ｙ軸方向に延びる基板支持部材１１１によって、ＬＥＤ基板１４０及び制御基板１６０が底面１１０ａに固定されている。センサー基板１５０の一端は、ジョイント１７０によって制御基板１６０の一端に接続されている。また、センサー基板１５０の他端は、スイッチボックス１１０によって支持されている。
【００３５】
フレーム１２０は、締結部材Ｓによってスイッチボックス１１０に固定されている。フレーム１２０には、ガイド部材１２２の他に、さらに、コンセント１２３が形成されている。コンセント１２３は、掃除機等の電気機器に電力を供給するためのものである。コンセント１２３は、電気機器の接続端子が挿入される一対の差込口１２３ａを有する。
【００３６】
ＬＥＤ基板１４０は、ＬＥＤ３００に電気的に接続される電気回路を有しており、ＬＥＤ基板１４０上にはＬＥＤ３００が実装されている。本実施形態では、ＳＭＤ（Surface Mount Device）タイプのＬＥＤ３００が用いられているが、ＣＯＢ（Chip on Board）タイプのＬＥＤを用いることもできる。ＣＯＢタイプのＬＥＤは、ＬＥＤチップを基板上に載置して蛍光体で封止したものである。ＳＭＤタイプのＬＥＤは、ＬＥＤチップと蛍光体とを１ユニット化して、当該ユニットを基板の導電体に電気的に接続したものである。
【００３７】
センサー基板１５０は、照度センサー４００に電気的に接続される電気回路を有しており、センサー基板１５０上には照度センサー４００が実装されている。制御基板１６０は、ＬＥＤ３００及び照度センサー４００に電気的に接続される電気回路を有しており、制御基板１６０上には、マイクロコンピューター等の制御装置が実装されている。当該制御装置は、照度センサー４００が検出した照明領域の照度に基づいてＬＥＤ３００を点灯及び消灯させる。端子台には、商用電源の電源線が接続される。
【００３８】
パネル２００は、パネル本体２１０と第２遮光壁２１１の他に、さらにセード２２０を有する。パネル本体２１０には、第１開口部２１２と、第２開口部２１３と、第３開口部２１４と、第４開口部２１５とが形成されている。
【００３９】
第１開口部２１２にはコンセント１２３が挿入される。第２開口部２１３は照度センサー４００に対向する。第３開口部２１４にはガイド部材１２２が挿入される。第４開口部２１５はＬＥＤ３００に対向する。
【００４０】
セード２２０は、合成樹脂により形成され、第４開口部２１５を閉塞するようにパネル本体２１０に取り付けられる。セード２２０は、例えば乳白色に形成され、ＬＥＤ３００が発した光を拡散させて透過させる。
【００４１】
次に、照明器具１の取付面Ｆへの取り付け方法について説明する。まず、作業者は、スイッチボックス１１０を埋込穴Ｈに埋め込んで固定し、埋込穴Ｈ内に配設された商用電源の電線を、スイッチボックス１１０に備えられた端子台に接続する。次に、作業者は、フレーム１２０を締結部材Ｓによってスイッチボックス１１０に固定する。
【００４２】
次に、作業者は、パネル２００をフレーム１２０に嵌合し、パネル２００を取付面Ｆ上に設置する。その結果、第１遮光壁１２１の外側が第２遮光壁２１１によって取り囲まれた状態となる。そして、作業者は、セード２２０をパネル２００の第４開口部２１５に取り付ける。
【００４３】
取付面Ｆの凹凸等によって、第１遮光壁１２１の先端とパネル本体２１０の内面との間の隙間Ｃの大きさが設計値よりも大きくなることがある。照明器具１では、第１遮光壁１２１の外側を取り囲む第２遮光壁２１１によって、ＬＥＤ３００から照度センサー４００に向かう光が遮られるため、ＬＥＤ３００の光が隙間Ｃを介して照度センサー４００に入射することが抑制される。その結果、チャタリング等の誤動作の発生を抑制することができる。
【００４４】
（実施の形態２）
次に、図３及び図４を参照して本発明の第２実施形態を説明する。図３は本発明の第２実施形態に係る照明器具１１の正面図であり、図４は図３のIV-IV線断面図である。なお、第２実施形態において、第１実施形態と対応する部位には同一の符号を使用し、重複する説明を省略する。
【００４５】
本実施形態では、パネル２００が、第１実施形態のセード２２０に代えて、庇２７０を有している。庇２７０は、Ｙ軸方向における前方に突出するようにパネル本体２１０に形成され、底部が開口している。庇２７０は、傾斜壁２７１と、一対の側壁２７２と、前端壁２７３とを有する。ＬＥＤ３００が発した光は、庇２７０の内面で反射されて庇２７０の底部の開口から射出され、庇２７０の下方の領域を照明する。
【００４６】
本実施形態においても、第１実施形態と同様の作用効果を奏する。すなわち、取付面Ｆの凹凸等によって、第１遮光壁１２１の先端とパネル本体２１０の内面との間の隙間Ｃの大きさが設計値よりも大きくなることがある。照明器具１１では、第１遮光壁１２１の外側を取り囲む第２遮光壁２１１によって、ＬＥＤ３００から照度センサー４００に向かう光が遮られるため、ＬＥＤ３００の光が隙間Ｃを介して照度センサー４００に入射することが抑制される。その結果、チャタリング等の誤動作の発生を抑制することができる。
【００４７】
以上、図面（図１〜図４）を参照しながら本発明の実施形態について説明した。但し、本発明は上記の実施形態に限られるものではなく、その要旨を逸脱しない範囲で種々の態様において実施することが可能である（例えば、下記に示す（１）〜（４））。なお、図面を理解しやすくするために、それぞれの各構成要素の厚み、長さ、個数等は、図面作成の都合上から、実際とは異なる。また、上記の実施形態で示す各構成要素の形状、寸法等は一例であって、特に限定されるものではなく、本発明の効果から実質的に逸脱しない範囲で種々の変更が可能である。
【００４８】
（１）本発明の実施形態では、第３遮光壁が、感度調節スイッチをガイドするガイド部材として機能しているが、第３遮光壁は、当該ガイド部材以外の部材（例えば、コンセント）であってもよい。
【００４９】
（２）本発明の実施形態では、第１遮光壁と第２遮光壁と第３遮光壁とによって照度センサーが遮光されているが、第１遮光壁と第２遮光壁のみによって照度センサーを遮光してもよい。
【００５０】
（３）本発明の実施形態では、照明領域の照度に応じて光源を点灯及び消灯させているが、照明領域の照度に応じて光源の光量を段階的又は連続的に制御してもよい。
【００５１】
（４）本発明は、埋込型照明器具以外の照明器具（例えば、壁直付け灯や吊り下げ灯）にも適用可能である。また、本発明は、廊下の壁面以外の取付面（例えば、天井）に取り付けられる照明器具にも適用可能である。
【符号の説明】
【００５２】
１、１１  照明器具
１００    本体部
１２１    第１遮光壁
１３０    感度調節スイッチ
２１１    第２遮光壁
１２２    ガイド部材（第３遮光壁）
２００    パネル
３００    ＬＥＤ（光源）
４００    照度センサー
Ｆ        取付面
Ｗ        遮光部
【図１】
2015210934.tif 000003
【図２】
2015210934.tif 000004
【図３】
2015210934.tif 000005
【図４】
2015210934.tif 000006